(57)【要約】【課題】天井高の高い部屋に十分に採光や通風を確保できるとともに、雨水の掃けがよい屋根を備えた建物を提供する。【解決手段】外壁５ａ上に、平面視四角形状の屋根１が敷設され、この屋根の一方の対角線上で対向する一対の角部２ａ，２ｂが、他方の対角線上で対向する一対の角部２ｃ，２ｄより上方に位置し、ており、屋根１の対向する軒先部のうち一方の軒先部３ａ，４ａから他方の軒先部３ｂ，４ｂに向けて傾斜する屋根面が、その軒先部の長さ方向中央部を境として逆方向に傾斜しており、外壁５ａの上端と前記屋根１の軒先部４ａとの間に、窓１５ａ〜１５ｃが設けられている。【選択図】図１
2006322187.tif 000002
【特許請求の範囲】
【請求項１】
平面視略四角形状の屋根を備えた建物において、
前記屋根の平面視における一方の対角線上で対向する一対の角部が、他方の対角線上で対向する一対の角部より上方に位置しており、
前記屋根の対向する軒先部のうち一方の軒先部から他方の軒先部に向けて傾斜する屋根面が、その軒先部の長さ方向中央部を境として逆方向に傾斜しており、
前記建物の外壁の上端と前記屋根の軒先部との間に、窓が設けられていることを特徴とする建物。  
【請求項２】
請求項１に記載の建物において、
柱の上端部が前記外壁の上端より上方に突出しており、この突出した柱によって前記屋根が支持されていることを特徴とする建物。
【請求項３】
請求項２に記載の建物において、
前記外壁に沿って配置された柱の上端部間に前記窓が設けられていることを特徴とする建物。
【請求項４】
請求項２または３に記載の建物において、
外壁の内側において、この外壁の上端より上方に突出する柱間には上部壁が設けられており、この上部壁によっても前記屋根が支持されていることを特徴とする建物。
【請求項５】
請求項４に記載の建物において、
前記上部壁には、開口部が形成されていることを特徴とする建物。
【発明の詳細な説明】
【技術分野】
【０００１】
本発明は、住宅等の建物に係り特に屋根に特徴があるものに関する。
【背景技術】
【０００２】
切妻屋根を備えた建物の一例として特許文献１に記載されたものが知られている。このような建物では、妻側の外壁や妻側と直角な平側の外壁に窓を設けている。
【特許文献１】特開２００３−８２８６５号公報
【発明の開示】
【発明が解決しようとする課題】
【０００３】
ところで、上記のような切妻屋根を備えた建物では、屋内において天井高を屋根の軒先より高くして開放感を得ようとしても、平側の外壁に設ける窓が屋根の軒先より下方に位置しているので、天井高の高い部屋の採光や通風を十分に確保し難いという問題がある。
これに対し、建物の屋根を陸屋根にした場合、屋根の軒先が外壁の上端より高いので、外壁の上端部まで届く窓を設けることによって、天井高の高い部屋でも十分に採光や通風を確保することができる。しかし、陸屋根の場合、屋根面がほぼフラットであるため、雨水が滞留し易いとい問題がある。
【０００４】
本発明は上記事情に鑑みてなされたもので、天井高の高い部屋に十分に採光や通風を確保できるとともに、雨水の掃けがよい屋根を備えた建物を提供することを課題としている。
【課題を解決するための手段】
【０００５】
上記課題を達成するために、請求項１に記載の発明は、例えば図１〜図５に示すように、平面視において四角形の各辺を構成するようにして配置された外壁５ａ〜５ｄ上に、屋根１が敷設された建物において、
前記屋根１は平面視四角形状に形成されており、一方の対角線上で対向する一対の角部２ａ，２ｂが、他方の対角線上で対向する一対の角部２ｃ，２ｄより上方に位置しており、
前記屋根１の対向する軒先部のうち一方の軒先部３ａ，４ａから他方の軒先部３ｂ，４ｂに向けて傾斜する屋根面が、その軒先部の長さ方向中央部を境として逆方向に傾斜しており、
前記外壁５ａ〜５ｄの上端と前記屋根１の軒先部３ａ，３ｂ，４ａ，４ｂとの間に、窓１５ａ〜１５ｃ，１６ａ〜１６ｄ，１８ａ〜１８ｅ，２０ａ〜２０ｃが設けられていることを特徴とする。
【０００６】
請求項１に記載の発明によれば、屋根１に降った雨水は、屋根面の傾斜方向に流れるとともに、下方に位置する角部２ｃ，２ｄに向けて流れるので、雨水の掃けがよい。
また、前記外壁５ａ〜５ｄの上端と前記屋根１の軒先部３ａ，３ｂ，４ａ，４ｂとの間に、窓１５ａ〜１５ｃ，１６ａ〜１６ｄ，１８ａ〜１８ｅ，２０ａ〜２０ｃが設けられているので、外壁５ａ〜５ｄの内側に、外壁５ａ〜５ｄの上端より天井高の高い部屋を設けても、前記窓１５ａ〜１５ｃ，１６ａ〜１６ｄ，１８ａ〜１８ｅ，２０ａ〜２０ｃから採光や通風を十分に確保できる。
【０００７】
請求項２に記載の発明は、請求項１に記載の建物において、
柱６ａ〜６ｃ，８ａ〜８ｅ，１０ａ〜１０ｆ，１２ａ〜１２ｄの上端部が前記外壁５ａ〜５ｄの上端より上方に突出しており、この突出した柱６ａ〜６ｃ，８ａ〜８ｅ，１０ａ〜１０ｆ，１２ａ〜１２ｄによって前記屋根１が支持されていることを特徴とする。
【０００８】
請求項２に記載の発明によれば、外壁５ａ〜５ｄの上端より上方に突出した柱６ａ〜６ｃ，８ａ〜８ｅ，１０ａ〜１０ｆ，１２ａ〜１２ｄによって屋根１が支持されているので、外壁５ａ〜５ｄの上方に位置する屋根１を確実に下方から支持できる。
【０００９】
請求項３に記載の発明は、請求項２に記載の建物において、
前記外壁５ａ〜５ｄに沿って配置された柱６ａ〜６ｃ，８ａ〜８ｅ，１０ａ〜１０ｆ，１２ａ〜１２ｄの上端部間に前記窓１５ａ〜１５ｃ，１６ａ〜１６ｄ，１８ａ〜１８ｅ，２０ａ〜２０ｃが設けられていることを特徴とする。
【００１０】
請求項３に記載の発明によれば、外壁５ａ〜５ｄに沿って配置されて、屋根１を下方から支持する柱６ａ〜６ｃ，８ａ〜８ｅ，１０ａ〜１０ｆ，１２ａ〜１２ｄの上端部間に窓１５ａ〜１５ｃ，１６ａ〜１６ｄ，１８ａ〜１８ｅ，２０ａ〜２０ｃが設けられているので、外壁５ａ〜５ｄの上端と前記屋根１の軒先部との間に容易に窓１５ａ〜１５ｃ，１６ａ〜１６ｄ，１８ａ〜１８ｅ，２０ａ〜２０ｃを設けることができる。
【００１１】
請求項４に記載の発明は、例えば、図１〜図４、図１２から図１５に示すように、請求項２または３に記載の建物において、
外壁５ａ〜５ｄの内側において、この外壁５ａ〜５ｄの上端より上方に突出する柱間（例えば柱８ｃ，２５ａ間、柱２５ａ，２５ｂ間、柱２５ｂ，１０ｄ間、柱１０ｃ，２７ａ間、柱２７ａ，２７ｂ間、柱２７ｂ，８ｄ、柱２５ａ，２７ｂ間、柱２７ａ，２５ｂ間）
には上部壁（例えば上部壁３１ａ〜３１ｃ，３４ａ，３４ｂ、３７ａ，３７ｂ）が設けられており、この上部壁によっても前記屋根１が支持されていることを特徴とする。
【００１２】
請求項４に記載の発明によれば、上部壁３１ａ〜３１ｃ，３４ａ，３４ｂ、３７ａ，３７ｂによっても屋根１が支持されているので、該屋根１の支持強度を高めることができる。
【００１３】
請求項５に記載の発明は請求項４に記載の建物において、
前記上部壁（例えば上部壁３１ａ，３１ｂ，３４ｂ，３４ｃ）には、開口部（例えば開口部３２ａ，３２ｂ，３５ａ，３５ｂ）が形成されていることを特徴とする。
【００１４】
請求項５に記載の発明によれば、上壁部３１ａ，３１ｂ，３４ｂ，３４ｃに開口部３２ａ，３２ｂ，３５ａ，３５ｂが形成されているので、前記窓１５ａ〜１５ｃ，１６ａ〜１６ｄ，１８ａ〜１８ｅ，２０ａ〜２０ｃからの採光や通風を開口部３２ａ，３２ｂ，３５ａ，３５ｂを通して、建物の内部の部屋に容易に導入することができる。
【発明の効果】
【００１５】
本発明によれば、屋根の、一方の対角線上で対向する一対の角部が、他方の対角線上で対向する一対の角部より上方に位置しており、屋根の対向する軒先部のうち一方の軒先部から他方の軒先部に向けて傾斜する屋根面が、その軒先部の長さ方向中央部を境として逆方向に傾斜しており、外壁の上端と前記屋根の軒先部との間に、窓が設けられているので、雨水の掃けがよくなるとともに、外壁の上端より天井高の高い部屋を設けても、窓から採光や通風を十分に確保できる。
【発明を実施するための最良の形態】
【００１６】
以下図面を参照して本発明の実施の形態について説明する。
図１〜図４は本発明に係る建物を示すもので、図１は建物の正面図、図２は同左側面図、図３は同右側面図、図４は同背面図、図５は建物の屋根の平面図である。
【００１７】
これらの図に示す建物では、図５に示すように、平面視略四角形状の屋根１を備えている。
この屋根１の平面視における一方の対角線上で対向する一対の角部２ａ，２ｂが、他方の対角線上で対向する一対の角部２ｃ，２ｄより１ｍ程度上方に位置している。一対の角部２ｃ，２ｄには、それぞれ排水枡が設けられている。
また、図５において、四角形状の屋根１は、２対の対向する軒先部３ａ，３ｂと軒先部４ａ，４ｂを有している。軒先部３ａ，３ｂは屋根面の長辺に沿う軒先部であり、軒先部４ａ，４ｂは短辺に沿う軒先部である。
【００１８】
図１に示すように、建物を正面側から見た場合、一方の軒先部４ａから他方の軒先部４ｂに向けて傾斜する屋根面は軒先部４ａ（４ｂ）の長さ方向の中央部を境として逆方向に傾斜している。すなわち、図１において、軒先部４ａの左半分側では、軒先部４ａから軒先部４ｂに向けて下方に傾斜しており、軒先部４ａの右半分側では、軒先部４ａから軒先部４ｂに向けて上方に傾斜している。また、角部２ｃには、屋根から下方に延出する縦樋が設けられており、この縦樋は前記角部２ｃに設けられた排水枡に接続されている。
なお、図４に示すように、建物を背面側から見た場合、軒先部４ａの右半分側では、軒先部４ａから軒先部４ｂに向けて下方に傾斜しており、軒先部４ａの左半分側では、軒先部４ａから軒先部４ｂに向けて上方に傾斜している。
また、図２に示すように、建物を左側面側から見た場合、一方の軒先部３ａから他方の軒先部３ｂに向けて傾斜する屋根面は軒先部３ａ（３ｂ）の長さ方向の中央部を境として逆方向に傾斜している。すなわち、図２において、軒先部３ａの左半分側では、軒先部３ａから軒先部３ｂに向けて上方に傾斜しており、軒先部３ａの右半分側では、軒先部３ａから軒先部３ｂに向けて下方に傾斜している。また、角部２ｄには、屋根から下方に延出する縦樋が設けられており、この縦樋は前記角部２ｄに設けられた排水枡に接続されている。
なお、図３に示すように、建物を右側面側から見た場合、軒先部３ａの右半分側では、軒先部３ａから軒先部３ｂに向けて上方に傾斜しており、軒先部３ａの左半分側では、軒先部３ａから軒先部３ｂに向けて下方に傾斜している。
【００１９】
また、図１〜図４に示すように、建物は、その正面、左右側面、背面にそれぞれ外壁５ａ〜５ｄを備えており、柱の上端部は外壁５ａ〜５ｄより上方に突出している。そしてこの突出した柱によって屋根１が下方から支持されている。
すなわち、図１に示すように、正面側の外壁５ａに沿って柱６ａ〜６ｄが左右に所定間隔で設けられている。柱６ａ〜６ｄは、順次高さが低くなっており、これら柱６ａ〜６ｄの上端には図８に示すように、勾配桁７が架設されており、この勾配桁７によって屋根１の軒先部４ａが支持されている。
また、図２に示すように、左側面側の外壁５ｂに沿って柱８ａ〜８ｆが左右に所定間隔で設けられている。柱８ａ〜８ｆは、順次高さが低くなっており、これら柱８ａ〜８ｆの上端には図９に示すように、勾配桁９が架設されており、この勾配桁９によって屋根１の軒先部３ａが支持されている。なお、柱８ａと柱６ａは角部に位置する柱であるので、同じものである。
【００２０】
さらに、図３に示すように、右側面側の外壁５ｃに沿って柱１０ａ〜１０ｆが左右に所定間隔で設けられている。柱１０ａ〜１０ｆは、順次高さが低くなっており、これら柱１０ａ〜１０ｆの上端には図１０に示すように、勾配桁１１が架設されており、この勾配桁１１によって屋根１の軒先部３ｂが支持されている。なお、１０ｆと柱６ｄは角部に位置する柱であるので、同じものである。
また、図４に示すように、背面側の外壁５ｄに沿って柱１２ａ〜１２ｄが左右に所定間隔で設けられている。柱１２ａ〜１２ｄは、順次高さが低くなっており、これら柱１２ａ〜１１ｄの上端には図１１に示すように、勾配桁１３が架設されており、この勾配桁１３によって屋根１の軒先部４ｂが支持されている。
なお、柱１２ａと柱１０ａは角部に位置する柱であるので、同じものである。同様に、柱１２ｄと柱８ｆも角部に位置する柱であるので、同じものである。
【００２１】
そして、建物の外壁５ａ〜５ｄの上端と屋根１の軒先部３ａ，３ｂ，４ａ，４ｂとの間に窓が設けられている。
すなわち、図１に示すように、外壁５ａと軒先部４ａとの間には、３つの窓１５ａ，１５ｂ，１５ｃが左右に連続して設けられている。窓１５ａは、外壁５ａの上端から突出する柱６ａ，６ｂ間に設けられ、窓１５ｂは柱６ｂ，６ｃ間に設けられ、窓１５ｃは柱６ｃ，６ｄ間に設けられている。窓１５ａ〜１５ｃはそれぞれ異なる台形状に形成されており、全体として直角三角形状に形成されている。
また、図２に示すように、外壁５ｂと軒先部３ａとの間には、４つの窓１６ａ〜１６ｄが設けられており、窓１６ａ，１６ｂは左右に連続し、窓１６ｃ，１６ｄは左右に連続し、窓１６ｂと窓１６ｃとの間には壁１７が設けられている。窓１６ａは、外壁５ｂの上端から突出する柱８ａ，８ｂ間に設けられ、窓１６ｂは柱８ｂ，８ｃ間に設けられ、窓１６ｃは柱８ｄ，８ｅ間に設けられ、窓１６ｄは柱８ｅ，８ｆ間に設けられている。また、壁１７は柱８ｃ，８ｄ間に設けられている。窓１６ａ〜１６ｄ、壁１７はそれぞれ異なる台形状に形成されており、全体として直角三角形状に形成されている。
【００２２】
また、図３に示すように、外壁５ｃと軒先部３ｂとの間には、５つの窓１８ａ〜１８ｅが左右に連続して設けられている。窓１８ａは、外壁５ｃの上端から突出する柱１０ａ，１０ｂ間に設けられ、窓１８ｂは柱１０ｂ，１０ｃの間に設けられている。窓１８ｃは柱１０ｃ，１０ｄ間に設けられている。窓１８ｃは３連の窓であり、これら３連の窓１８ｃは方立１９，１９を有している。窓１８ｄは柱１０ｄ，１０ｅ間に設けられ、窓１８ｅは柱１０ｅ，１０ｆ間に設けられている。窓１８ａ〜１８ｅはそれぞれ異なる台形状に形成されており、全体として直角三角形状に形成されている。
また、図４に示すように、外壁５ｄと軒先部４ｂとの間には、３つの窓２０ａ，２０ｂ，２０ｃが左右に連続して設けられている。窓２０ａは、外壁５ｄの上端から突出する柱１２ａ，１２ｂ間に設けられている。窓２０ｂは柱１２ｂ，１２ｃ間に設けられている。窓２０ｂは２連の窓であり、これら２連の窓２０ｂは方立２１を有している。窓２０ｃは柱１２ｃ，１２ｄ間に設けられている。窓２０ａ〜２０ｃはそれぞれ異なる台形状に形成されており、全体として直角三角形状に形成されている。
前記窓１５ａ〜１５ｃ，窓１６ａ〜１６ｄ，窓１８ａ〜１８ｅ，窓２０ａ〜２０ｃは全て嵌め殺し式の窓となっているが、これら窓のうちの少なくとも一つを開閉窓としてもよい。
【００２３】
図６と図７はそれぞれ建物の１階の平面図と２階の平面図である。図７および図１２に示すように、建物の２階には、柱８ｃと柱１０ｄとの間に、柱２５ａと柱２５ｂが所定間隔で設けられている。これら柱２５ａ，２５ｂは外壁５ａ〜５ｄの上端より上方に突出しており、柱２５ａが柱２５ｂより高くなっている。また、柱８ｃ，２５ａ，２５ｂ，１０ｄは順次高さが低くなっており、これら柱８ｃ，２５ａ，２５ｂ，１０ｄの上端には勾配桁２６が架設されており、この勾配桁２６によって屋根１が支持されている。
また、図７および図１３に示すように、建物の２階には、柱１０ｃと柱８ｄとの間に、柱２７ａと柱２７ｂが所定間隔で設けられている。これら柱２７ａ，２７ｂは外壁５ａ〜５ｄの上端より上方に突出しており、柱２７ａが柱２７ｂより高くなっている。また、柱１０ｃ，２７ａ，２７ｂ，８ｄは順次高さが低くなっており、これら柱１０ｃ，２７ａ，２７ｂ，８ｄの上端には勾配桁２８が架設されており、この勾配桁２８によって屋根１が支持されている。
【００２４】
さらに、図７および図１４に示すように、前記柱２５ａは柱２７ｂより高くなっている。これら柱２５ａ，２７ｂには勾配桁２８が架設されており、この勾配桁２８によって屋根１が支持されている。
また、図７および図１５に示すように、前記柱２７ａは柱２５ｂより高くなっている。これら柱２７ａ，２５ｂには勾配桁２９が架設されており、この勾配桁２９によって屋根１が支持されている。
【００２５】
また、図１２に示すように、柱８ｃ，２５ａ，２５ｂ，１０ｄの上端部には、前記勾配桁２６より下方において敷桁３０が設けられており、この敷桁３０と勾配桁２６との間には上部壁が設けられている。すなわち、柱８ｃ，２５ａ間には上部壁３１ａが設けられ、柱２５ａ，２５ｂ間には上部壁３１ｂが設けられ、柱２５ｂ，１０ｄ間には上部壁３１ｃが設けられている。そして、これら上部壁３１ａ〜３１ｃによっても屋根１が勾配桁２６を介して支持されている。さらに、前記上部壁３１ａ，３１ｂには、開口部３２ａ，３２ｂが壁３１ａ，３１ｂを貫通して形成されている。
また、図１３に示すように、柱１０ｃ，２７ａ，２７ｂ，８ｄの上端部には、前記勾配桁２８より下方において敷桁３３が設けられており、この敷桁３３と勾配桁２８との間には上部壁が設けられている。すなわち、柱１０ｃ，２７ａには上部壁３４ａが設けられ、柱２７ａ，２７ｂ間には上部壁３４ｂが設けられ、柱２７ｂ，８ｄ間には上部壁３４ｃが設けられている。そして、これら上部壁３４ａ〜３４ｃによっても屋根１が勾配桁２８を介して支持されている。さらに、前記上部壁３４ｂ，３４ｃには、開口部３５ａ，３５ｂが壁３４ｂ，３４ｃを貫通して形成されている。
【００２６】
また、図１４に示すように、柱２５ａ，２７ｂの上端部には、前記勾配桁２８より下方において敷桁３６が設けられており、この敷桁３６と勾配桁２９との間には上部壁３７ａが柱２５ａ，２５ｂ間において設けられている。また、図１５に示すように、柱２５ｂ，２７ａの上端部には、勾配桁２９より下方において敷桁３８が設けられており、この敷桁３８と勾配桁２９との間には上部壁３７ｂが柱２５ｂ，２７ａ間において設けられている。そしてこれら上部壁３７ａ，３７ｂによっても屋根１が勾配桁２８，２９を介して支持されている。
【００２７】
図６に示すように、建物の１階には、洋室５０と和室５１とが南北に離間して配置されている。和室５１の西側には玄関５２が配置されており、この玄関５２の玄関ホール５２ａと洋室５０との間に廊下５３が配置されている。この廊下５３の西側には、１階と２階との間に設けられた階段５４が配置されている。また、廊下５３の東側でかつ洋室５０と和室５１との間には、トイレ５５，洗面室５６，浴室５７が南北に隣接して配置されている。これらトイレ５５、洗面室５６、浴室５７で構成された水回り系の部屋の外壁は、洋室５０および和室５１の東側の外壁より、内側に窪んで設けられており、これによって、建物の東側には凹所が形成され、この凹所にテラス５９が設けられている。このテラス５９に面する洋室５０の外壁、和室５１の外壁、洗面室５６の外壁には、それぞれ開閉扉５０ａ，５１ａ，５６ａが設けられている。
【００２８】
図７に示すように、建物の２階には、南側にリビングダイニング６０が配置され、北側に、２つの洋室６１，６２が東西に隣接して配置されている。洋室６１，６２とリビングダイニング６０との間には、キッチン６３が配置されており、このキッチン６３の西側には、洋室６１，６２とリビングダイニング６０との間に廊下６４が配置されている。廊下６４の西側には階段５４が配置されている。また、廊下６４の北側の端部には、東側に延在する廊下６５が配置されている。この廊下６５の東側端部と前記キッチン６３の外壁はリビングダイニング６０および洋室６１の東側の外壁より、内側に窪んで設けられており、これによって、建物の東側には凹所が形成され、この凹所にバルコニー６６，６７が南北に離間して設けられている。バルコニー６６に面するリビングダイニング６０の外壁には開閉扉６０ａが設けられている。また、バルコニー６７に面する洋室６１の外壁には開閉扉６１ａが設けられており、廊下６５の端部の外壁には開閉扉６５ａが設けられている。バルコニー６６，６７間は、１階のテラス５９から屋根１まで吹き抜ける吹き抜け空間となっており、この吹き抜け空間上に位置する屋根１には、開口部６８が形成され（図４および図５参照）、この開口部６８からバルコニー６６，６７やテラス５９に採光を確保できるようになっている。
【００２９】
本実施の形態によれば、平面視において四角形の各辺を構成するようにして配置された外壁５ａ〜５ｄ上に、平面視四角形状の屋根１が敷設されており、この屋根１の一方の対角線上で対向する一対の角部２ａ，２ｂが、他方の対角線上で対向する一対の角部２ｃ，２ｄより上方に位置しており、屋根１の対向する軒先部のうち一方の軒先部３ａ，４ａから他方の軒先部３ｂ，４ｂに向けて傾斜する屋根面が、その軒先部の長さ方向中央部を境として逆方向に傾斜しているので、屋根１に降った雨水は、屋根面の傾斜方向に流れるとともに、下方に位置する角部２ｃ，２ｄに向けて流れるので、雨水の掃けがよい。なお、角部２ｃ，２ｄに流れ込んだ雨水は、排水枡から縦樋を通って排水される。
また、前記外壁５ａ〜５ｄの上端と前記屋根１の軒先部３ａ，３ｂ，４ａ，４ｂとの間に、窓１５ａ〜１５ｃ，１６ａ〜１６ｄ，１８ａ〜１８ｅ，２０ａ〜２０ｃが設けられているので、外壁５ａ〜５ｄの内側に、外壁５ａ〜５ｄの上端より天井高の高い部屋（リビングダイニング６０，洋室６１，６２等）を設けても、前記窓から採光や通風を十分に確保できる。
【００３０】
また、柱６ａ〜６ｃ，８ａ〜８ｅ，１０ａ〜１０ｆ，１２ａ〜１２ｄの上端部が外壁５ａ〜５ｄの上端より上方に突出しており、この突出した柱６ａ〜６ｃ，８ａ〜８ｅ，１０ａ〜１０ｆ，１２ａ〜１２ｄによって屋根１が支持されているので、外壁５ａ〜５ｄの上方に位置する屋根１を確実に下方から支持できる。
さらに、外壁５ａ〜５ｄに沿って配置された柱６ａ〜６ｃ，８ａ〜８ｅ，１０ａ〜１０ｆ，１２ａ〜１２ｄの上端部間に窓１５ａ〜１５ｃ，１６ａ〜１６ｄ，１８ａ〜１８ｅ，２０ａ〜２０ｃが設けられているので、外壁５ａ〜５ｄの上端と屋根１の軒先部３ａ，３ｂ，４ａ，４ｄとの間に容易に窓１５ａ〜１５ｃ，１６ａ〜１６ｄ，１８ａ〜１８ｅ，２０ａ〜２０ｃを設けることができる。
加えて、外壁５ａ〜５ｄの内側において、この外壁５ａ〜５ｄの上端より上方に突出する柱８ｃ，２５ａ間には上部壁３１ａが、柱２５ａ，２５ｂ間には上部壁３１ｂが、柱２５ｂ，１０ｄ間には上部壁３１ｃが設けられ、柱１０ｃ，２７ａ間には上部壁３４ａが、柱２７ａ，２７ｂ間には上部壁３４ｂが設けられ、柱２７ｂ，８ｄ間には上部壁３４ｃが設けられ、柱２５ａ，２７ｂ間には上部壁３７ａが設けられ、柱２７ａ，２５ｂ間には上部壁３７ｂが設けられおり、これら上部壁によっても屋根１が勾配桁２６，２８，２９，２９を介して支持されているので、屋根１の支持強度を高めることができる。
また、上部壁３１ａには開口部３２ａが、上部壁３１ｂには開口部３２ｂが形成され、上部壁３４ｂには開口部３５ａが形成され、上部壁３４ｃには開口部３５ｂが形成されているので、前記窓１５ａ〜１５ｃ，１６ａ〜１６ｄ，１８ａ〜１８ｅ，２０ａ〜２０ｃからの採光や通風を開口部３２ａ，３２ｂ，３５ａ，３５ｂを通して、建物の内部の部屋に容易に導入することができる。
【図面の簡単な説明】
【００３１】
【図１】本発明に係る建物の一例を示すもので、建物の正面図である。
【図２】同、建物の左側面図である。
【図３】同、建物の右側面図である。
【図４】同、建物の背面図である。
【図５】同、屋根の平面図である。
【図６】同、建物の１階の平面図である。
【図７】同、建物の２階の平面図である。
【図８】図７におけるＡ−Ａ線視図である。
【図９】図７におけるＢ−Ｂ線視図である。
【図１０】図７におけるＣ−Ｃ線視図である。
【図１１】図７におけるＤ−Ｄ線視図である。
【図１２】図７におけるＥ−Ｅ線視図である。
【図１３】図７におけるＦ−Ｆ線視図である。
【図１４】図７におけるＧ−Ｇ線視図である。
【図１５】図７におけるＨ−Ｈ線視図である。
【符号の説明】
【００３２】
１  屋根
２ａ〜２ｄ  角部
３ａ，３ｂ，４ａ，４ｂ  軒先部
５ａ〜５ｄ  外壁
６ａ〜６ｄ  柱
８ａ〜８ｆ  柱
１０ａ〜１０ｆ  柱
１２ａ〜１２ｄ  柱
１５ａ〜１５ｃ  窓
１６ａ〜１６ｄ  窓
１８ａ〜１８ｅ  窓
２０ａ〜２０ｃ  窓
３１ａ〜３１ｃ  上部壁
３２ａ，３２ｂ  開口部
３４ａ〜３４ｃ  上部壁
３５ａ，３５ｂ  開口部
３７ａ，３７ｂ  上部壁
【図１】
2006322187.tif 000003
【図２】
2006322187.tif 000004
【図３】
2006322187.tif 000005
【図４】
2006322187.tif 000006
【図５】
2006322187.tif 000007
【図６】
2006322187.tif 000008
【図７】
2006322187.tif 000009
【図８】
2006322187.tif 000010
【図９】
2006322187.tif 000011
【図１０】
2006322187.tif 000012
【図１１】
2006322187.tif 000013
【図１２】
2006322187.tif 000014
【図１３】
2006322187.tif 000015
【図１４】
2006322187.tif 000016
【図１５】
2006322187.tif 000017